(57)【要約】【課題】  首からマスクがぶら下がることができるマスク留めストラップを提供する。【解決手段】  マスク留めストラップ（１０）は、  内蔵する弾性体の力で閉じた環を形成し弾性体の力に抗する外力が加えられると環を開く一対の取付金具（２０）と、取付金具が両端に取り付けられ２０ｃｍ以上６０ｃｍ以下の長さのコード（５０）と、を備える。そして、取付金具の環が開いてマスク（ＭＫ）の耳掛け紐（ＭＴ）が入れられ、外力を除くと環が閉じて耳掛け紐（ＭＴ）を係止する。【選択図】  図１
0003230646.tif 000002
【実用新案登録請求の範囲】
【請求項１】
内蔵する弾性体の力で閉じた環を形成し、前記弾性体の力に抗する外力が加えられると前記環を開く一対の取付金具と、
、前記取付金具が両端に取り付けられ、２０ｃｍ以上６０ｃｍ以下の長さのコードと、を備え、
前記取付金具の前記環が開いてマスクの耳掛け紐が入れられ、前記外力を除くと前記環が閉じて前記耳掛け紐を係止する、
マスク留めストラップ。
【請求項２】
前記コードが、伸縮性の低い一対の第１紐部と伸縮性の高い第２紐部とからなり、
前記第１紐部の一端が前記取付金具に結合し、前記第１紐部の他端が前記第２紐部に結合する、請求項１に記載のマスク留めストラップ。
【請求項３】
一対の前記第１紐部の長さの合計が前記第２紐部の長さよりも短く、且つ、前記第１紐部の太さが前記第２紐部の太さよりも細い請求項２に記載のマスク留めストラップ。
【請求項４】
一対の前記第１紐部に、装飾品が取り付けられている請求項２又は請求項３に記載のマスク留めストラップ。
【請求項５】
前記ストラップが、一定の幅を有する帯状のベルトである、請求項１に記載のマスク留めストラップ。
【請求項６】
前記コードは、該ストラップの長さを調整する調整具を有している、請求項１に記載のマスク留めストラップ。
【考案の詳細な説明】
【技術分野】
【０００１】
本考案は、マスク留めストラップに関する。特に、首からストラップを巻き、そのストラップにマスクの耳掛け紐を留めるマスク留めストラップに関するものである。
【背景技術】
【０００２】
インフルエンザウィルスもしくはコロナウィルス等を防ぐため、衛生マスク（以下マスクという。）着用する機会が日常的になっている。マスクを常時着用していると、マスクの耳掛け紐で使用者の耳が痛くなることもあった。マスクの耳掛け紐で使用者の耳が痛くなることを防止するために、特許文献１の発明が提案されている。
【０００３】
またマスクを常時着用していても、例えば食事をする場合もしくは飲み物を飲む場合には、着用していたマスクを取り外す必要がある。取り外したマスクは、衣服のポケットに入れたりテーブルもしくは椅子の上に置いたりしなければならない。このような扱い方では、使用者の口や鼻が触れるマスクの内側面が他のものと不意に接触してしまうことも多く、マスクの衛生面に問題がある。そこで、飲食店によって用意されたプラスチック又は布等で作られたマスクケースにマスクを入れたり、持参したマスクケースに入れたりすることもある。
【先行技術文献】
【特許文献】
【０００４】
【特許文献１】特開２０１１−５５８９６号公報
【考案の概要】
【考案が解決しようとする課題】
【０００５】
しかし、マスクケースを用意していない飲食店があったり、マスクケースを持参し忘れたりすることも多い。また飲食店の従業員が飲食店の棚からマスクケースを出したり、使用者が持参したカバンからマスクを出したりとして手間がかかるという問題がある。
【課題を解決するための手段】
【０００６】
そこで、上記課題を解決するための手段として本考案に係るマスク留めストラップは、  内蔵する弾性体の力で閉じた環を形成し、弾性体の力に抗する外力が加えられると環を開く一対の取付金具と、取付金具が両端に取り付けられ、２０ｃｍ以上６０ｃｍ以下の長さのコードと、を備えることが好ましい。そして、取付金具の環が開いてマスクの耳掛け紐が入れられ、外力を除くと環が閉じて耳掛け紐を係止する。
【０００７】
コードは、伸縮性の低い一対の第１紐部と伸縮性の高い第２紐部とからなり、第１紐部の一端が取付金具に結合し、第１紐部の他端が第２紐部に結合することが好ましい。
また、 一対の第１紐部の長さの合計が第２紐部の長さよりも短く、且つ、第１紐部の太さが第２紐部の太さよりも細いことが好ましい。
また 一対の第１紐部に、装飾品が取り付けられていることが好ましい。
【０００８】
ストラップは、一定の幅を有する帯状のベルトであることが好ましく、またコードが、該ストラップの長さを調整する調整具を有していることが好ましい。
【考案の効果】
【０００９】
本考案によれば、マスクを取り外しても、マスク留めストラップによって首からマスクがぶら下がるため、マスクの衛生面に問題が生じることが少ない。また、マスクをどこに置いたのか探すこともなくマスクケースを用意する必要もない。
【図面の簡単な説明】
【００１０】
【図１】実施形態に係るマスク留めストラップの使用状況を示す図である。
【図２】（Ａ）は、実施例１に係るマスク留めストラップ１００Ａを示す正面図である。（Ｂ）は、実施例２に係るマスク留めストラップ１００Ｂを示す正面図である。
【図３】（Ａ）は、実施例３に係るマスク留めストラップ１００Ｃを示す正面図である。（Ｂ）は、実施例４に係るマスク留めストラップ１００Ｄを示す正面図である。
【図４】実施例５に係るマスク留めストラップ１００Ｅの概要を示す斜視図である。
【考案を実施するための形態】
【００１１】
以下、本考案に係る実施の形態を、図を参照しながら詳しく説明する。なお、本明細書及び図面において、実質的に同一の機能構成を有する構成要素については、同一の符号を付することにより重複説明を省略する。
【００１２】
図１は、実施形態に係る本考案に係るマスク留めストラップ１０の使用状態を示す正面図である。使用者は、マスク留めストラップ１０を首からかけている。マスク留めストラップ１０は、断面が円形もしくは楕円形の長尺状のコード５０と、このコード５０の長手方向の両端に設けられた取付金具２０とを有している。使用者はマスクＭＫの両側の耳掛け紐ＭＴに一対の取付金具２０を取り付けることができる。すると、使用者はマスクＭＫをマスク留めストラップ１０を介して首からかけることができる。
【００１３】
図示されていないが、使用者は両側の耳掛け紐ＭＴに一対の取付金具２０を取り付けたまま、鼻及び口を覆うようにマスクＭＫを着用し、耳掛け紐ＭＴを自分の耳にかけることができる。使用者が、例えば食事をする場合もしくは飲み物を飲む場合には、耳から耳掛け紐ＭＴを取り外せば、マスク留めストラップ１０によってマスクＭＫが自分の胸元にぶら下がった状態にすることができる。
【００１４】
図２から図４は、複数の実施例のマスク留めストラップ１０を示した図である。図面では部材を強調するため実際の寸法通りに描かれていない。特に、図２から図４の図面において、コード５０の長さは他の部材と比べて短く描かれている。
【００１５】
図２（Ａ）に示されるように、実施例１のマスク留めストラップ１０Ａは、取付金具２０Ａとコード５０Ａとを有している。実施例１のコード５０Ａは、例えば、伸縮性の低い二本からなる紐部５１で構成される。実施例１では細い二本の紐であるが三本以上であってよい。この紐部５１の材料は、ポリエステル繊維、アクリル樹脂、ポリエステル樹脂、芳香族ポリエステル樹脂、ポリプロピレン樹脂、ポリエチレン樹脂、ポリアミド樹脂、芳香族ポリアミド樹脂、ポリイミド樹脂その他の高分子材料、絹、毛、木綿、麻その他の動植物性材料、炭素繊維、ガラス繊維その他の無機物繊維材料等から自在に選択することができる。コード５０Ａの長さＬ１は、例えば２０ｃｍから６０ｃｍが好ましく、さらに３０ｃｍから５０ｃｍが好ましい。また一般に女性の身長は男性の身長より低いため、女性用のコード５０Ａは短めが好ましく、また子供用のコード５０Ａはさらに短い方が好ましい。
【００１６】
実施例１のコード５０Ａの両端には、取付金具２０Ａが取り付けられている。取付金具２０Ａは、コード５０Ａの一端に結合する結合部２７を有している。この結合部には第１丸環部を含み、その第１丸環部には、第２丸環部２６が取り付けられている。この第２丸環部２６を介してクラスプ（２２ａ，２３ａ，２４ａ）取り付けられている。クラスプは、爪型の環部２２ａと、内蔵するバネ（不図示）の力に抗する外力を加える操作部２３ａと、操作部２３ａと連結し、爪型の環部２２ａと環状を形成する顎部２４ａとを有する。操作部２３ａに外力が無い状態では、爪型の環部２２ａの先端と顎部２４ａの先端とが当接して環状を形成し、操作部２３ａに外力が加えられた状態では、顎部２４ａが引っ込んで、爪型の環部２２ａの先端と顎部２４ａの先端環とに隙間ができる。使用者は、操作部２３ａに力を加えて爪型の環部２２ａの先端と顎部２４ａの先端との間に隙間を作って耳掛け紐ＭＴを入れ、操作部２３ａから力を抜くことで耳掛け紐ＭＴを引っ掛けることができる。
【００１７】
図２（Ｂ）に示されるように、実施例２のマスク留めストラップ１０Ｂは、取付金具２０Ｂとコード５０Ｂとを有している。実施例２のコード５０Ｂは、例えば、伸縮性の低い一本の紐部５２で構成される。この紐部５２の材料は、実施例１と同様な材料でよいが異なる材料でもよい。異なる材料として伸縮性が高い材料、例えばゴム紐等がある。コード５０Ｂの長さは、例えば６０ｃｍである。紐部５２の中央付近には、紐部５２の長さを調整する調整具６０Ｂが取り付けられている。この調整具６０Ｂは、二本の紐部５２が貫通する貫通孔を有する枠部６２ｂとその貫通孔の紐部５２を押圧する押圧部６１ｂとからなる。使用者は、調整具６０Ｂから繰り出す紐部５２の長さを調整した後、押圧部６１ｂを押すことで紐部５２の長さを調整することができる。なお調整具６０Ｂは、使用者が押圧する押圧部で説明したが、調整具６０Ｂに内蔵する引張バネ（不図示）を有していれば、使用者が引張部（押圧部の逆）６１ｂを引っ張った状態で、調整具６０Ｂから繰り出す紐部５２の長さを調整することもできる。
【００１８】
実施例２のコード５０Ｂの両端には、取付金具２０Ｂが取り付けられている。取付金具２０Ｂは、実施例１と同様な結合部２７と第２丸環部２６とを有している。この第２丸環部２６を介してクラスプ（２２ｂ，２３ｂ，２４ｂ）取り付けられている。クラスプは、円管型の環部２２ｂと、内蔵するバネ（不図示）の力に抗する外力を加える操作部２３ｂと、操作部２３ｂと連結し、円管型の環部２２ｂと環状を形成する扇部２４ｂとを有する。操作部２３ｂに外力が無い状態では、円管型の環部２２ｂの管内に扇部２４ｂが入り込んで環状を形成し、操作部２３ｂに外力が加えられた状態では、扇部２４ｂが引っ込んで、円管型の環部２２ｂに隙間ができる。使用者は、操作部２３ｂに力を加えて円管型の環部２２ｂの隙間を作って耳掛け紐ＭＴを入れ、操作部２３ｂから力を抜くことで耳掛け紐ＭＴを引っ掛けることができる。
【００１９】
図３（Ａ）に示されるように、実施例３のマスク留めストラップ１０Ｃは、取付金具２０Ａとコード５０Ｃとを有している。実施例３のコード５０Ｃは、実施例１で示した紐部５１と伸縮性の高い紐部５５とで構成される。この伸縮性の高い紐部５５の材料は、合成ゴム又は天然ゴムを含むゴム紐等である。コード５０Ｃの長さＬ３は、例えば１０ｃｍから５０ｃｍが好ましく、さらに２０ｃｍから４０ｃｍが好ましい。実施例３の紐部５１の長さＬ２は、３ｃｍから７ｃｍである。その紐部５１には多角形状の装飾部７１が取り付けられている。実施例３のマスク留めストラップ１０Ｃは、特に女性にネックレスのように装飾品としても使用されることを想定している。もちろん、装飾品７１がないマスク留めストラップ１０Ｃであっても良い。
【００２０】
実施例３のコード５０Ｃの両端には、取付金具２０Ａが取り付けられている。これは実施例１のコード５０Ａと同様である。図示しないが、取付金具２０Ａの代わりに取付金具２０Ｂが取り付けられてもよい。
【００２１】
図３（Ｂ）に示されるように、実施例４のマスク留めストラップ１０Ｄは、取付金具２０Ｂとコード５０Ｄとを有している。実施例４のコード５０Ｄは、実施例１で示した紐部５１と装飾された装飾紐部５３と伸縮性の高い紐部５５とで構成される。装飾紐部５３は、装飾性の高い紐であり、太い糸をねじったツイスト紐であったり、金剛打ちと呼ばれる紐であったり、８打ち（江戸打ち）もしくは１６打ちと呼ばれる紐であったりしても良く、適宜糸の配色を組み合わせて複雑な模様を形成してもよい。伸縮性の高い紐部５５の材料は、実施例３の紐部５５と同様な合成ゴム又は天然ゴムを含むゴム紐等であってもよい。この紐部５５の代わりに実施例２で示した伸縮性の低い紐部５２で構成されてもよい。また、紐部５２を長くして紐部５２の長さを調整する調整具６０Ｂが取り付けられてもよい。もちろん、コード５０Ｄが装飾紐部５３のみで形成されていてもよい。
【００２２】
コード５０Ｄの長さＬ３は、例えば１０ｃｍから５０ｃｍが好ましく、さらに２０ｃｍから４０ｃｍが好ましい。実施例４の紐部５１の長さＬ２は、３ｃｍから７ｃｍである。その紐部５１には球状の装飾部７３、例えば真珠が取り付けられている。実施例４のマスク留めストラップ１０Ｄは、特に女性にネックレスのように装飾品としても使用されることを想定している。もちろん、装飾品７３がないマスク留めストラップ１０Ｄであっても良い。
【００２３】
実施例４のコード５０Ｄの両端には、取付金具２０Ｂが取り付けられている。。これは実施例２のコード５０Ｂと同様である。図示しないが、取付金具２０Ｂの代わりに取付金具２０Ａが取り付けられてもよい。また図示しないが、取付金具２０は、マスクＭＫの耳掛け紐ＭＴを簡単に取付・取り外しできればよく、取付金具２０Ａもしくは２０Ｂ以外の形状であってもよい。
【００２４】
図３（Ａ）及び（Ｂ）で示されたコード５０Ｃ及びコード５０Ｄは、２つもしくは３つの紐部で構成されていたが、異なる４つ以上の紐部で構成されてもよい。
【００２５】
図４は、実施例５のマスク留めストラップ１０Ｅを示した図である。、実施例５のマスク留めストラップ１０Ｅは、取付金具２０Ｅと一般的なショルダーバック等に使用されている帯状の布又は革２１からなるコード５０Ｅとを有している。実施例５のマスク留めストラップ１０Ｅは、特に男性用のストラップである。
【００２６】
実施例５のコード５０Ｅは、例えば、幅広い帯状で伸縮性の低い紐部５６で構成される。この帯状の紐部５６の材料は、実施例１と同様に、ポリエステル繊維等の高分子材料、絹、毛、木綿、麻、炭素繊維、ガラス繊維その他の無機物繊維材料等から自在に選択することができる。特に好ましいのが人工革もしくは天然革である。コード５０Ａの長さＬ１は、例えば４０ｃｍから６０ｃｍが好ましくその幅Ｗ１は１０ｍｍから３０ｍｍである。またコード５０Ａの長さを調整できるように金属製もしくはプラスチック製の調整具６０Ｅが設けられていることが好ましい。
【００２７】
取付金具２０Ｅは、コード５０Ａの一端に結合する台形状の結合部２７ｅを有している。この結合部２７ｅには回転カン部２６ｅが取り付けられている。この回転カン部２６ｅを介してクラスプ（２２ｅ，２３ｅ，２４ｅ）取り付けられている。クラスプは、爪型の環部２２ｅと、内蔵するバネ（不図示）の力に抗する外力を加える操作部２３ｅと、操作部２３ｅと連結し、爪型の環部２２ｅと環状を形成する顎部２４ｅとを有する。操作部２３ｅに外力が無い状態では、爪型の環部２２ｅの先端と顎部２４ｅの先端とが当接して環状を形成し、操作部２３ｅに外力が加えられた状態では、顎部２４ｅが引っ込んで、爪型の環部２２ｅの先端と顎部２４ｅの先端環とに隙間ができる。使用者は、爪型の環部２２ｅの先端と顎部２４ｅの先端との間に隙間を作って耳掛け紐ＭＴを入れ、操作部２３ｅから力を抜くことで耳掛け紐ＭＴを引っ掛けることができる。
【００２８】
調整具６０Ｅは、矩形枠状の６１ｅとこの矩形枠状６１ｅの２辺を跨ぐ一本の調整バー６２ｅとを有している。帯状の紐部５６の一端は、取付金具２０Ｅの結合部２７ｅに縫い付けられ、帯状の紐部５６の他端は、調整具６０ｅの矩形枠状６１ｅと調節バー６２eとの間を通して、別の取付金具２０Ｅの結合部２７ｅに通す。さらに帯状の紐部５６の他端は、内側からもう一度調整具６０ｅの矩形枠状６１ｅと調節バー６２eとの間を通る。これにより帯状の紐部５６の長さが調節自在とされている。
【符号の説明】
【００２９】
１０（１０Ａ，１０Ｂ，１０Ｃ，１０Ｄ，１０Ｅ）  マスク留めストラップ
２０ （２０Ａ，２０Ｂ，２０Ｅ） 取付金具
５０（５０Ａ，５０Ｂ，５０Ｃ，５０Ｄ，５０Ｅ）  コード
６０（６０Ｂ、６０Ｅ） 調整具
ＭＫ  マスク（衛生マスク）
ＭＴ  マスクの耳掛け紐
【図１】
0003230646.tif 000003
【図２】
0003230646.tif 000004
【図３】
0003230646.tif 000005
【図４】
0003230646.tif 000006